(57)【特許請求の範囲】
【請求項１】
誘電体セラミック基体と、複数の内部電極と、少なくとも一対の外部端子電極とを含む積層セラミックコンデンサであって、
前記誘電体セラミック基体は、厚み方向、幅方向及び長さ方向を持つほぼ六面体状であり、
前記一対の外部端子電極は、前記誘電体セラミック基体の前記長さ方向の両端に設けられ、前記誘電体セラミック基体の長さ方向の１面、厚み方向の２面及び幅方向の２面を覆っており、
前記複数の内部電極は、前記誘電体セラミック基体の内部に埋設され、誘電体セラミック層を介して前記厚み方向に重なり、長さ方向の一端が、隣接する内部電極間で、前記一対の外部端子電極に交互に接続され、長さ方向の他端は前記外部端子電極によって囲まれた領域まで延び幅方向の両隅部が削減されており、
前記内部電極の前記両隅部は、前記幅方向で見た前記外部端子電極の中点と前記長さ方向で見た前記外部端子電極の先端とを結ぶ最短仮想線、前記誘電体セラミック基体の幅方向の１面及び長さ方向の１面によって作られる三角形領域内に入らないように削除されており、
前記内部電極の端縁は、前記最短仮想線に沿った部分を含む、
積層セラミックコンデンサ。
【請求項２】
請求項１に記載された積層セラミックコンデンサであって、
前記誘電体セラミック基体の前記幅方向の１面から、前記外部端子電極の中点までの距離は、前記長さ方向で見た前記外部端子電極の長さよりも大きい
積層セラミックコンデンサ。
【請求項３】
積層セラミックコンデンサを基板上に実装する方法であって、
前記積層セラミックコンデンサは、誘電体セラミック基体と、複数の内部電極と、少なくとも一対の外部端子電極とを含んでおり、
前記誘電体セラミック基体は、厚み、幅及び長さを持つほぼ六面体状であり、  前記一対の外部端子電極は、前記誘電体セラミック基体の前記長さ方向の両端に設けられ、前記誘電体セラミック基体の長さ方向の１面、厚み方向の２面及び幅方向の２面を覆っており、
前記複数の内部電極は、前記誘電体セラミック基体の内部に埋設され、誘電体セラミック層を介して前記厚み方向に重なり、長さ方向の一端が、隣接する内部電極間で、前記一対の外部端子電極に交互に接続され、長さ方向の他端は前記外部端子電極によって囲まれた領域まで延び、幅方向の両隅部が削減されており、
前記両隅部の削減は、前記幅方向で見た前記外部端子電極の中点と前記前記長さ方向で見た前記外部端子電極の先端とを結ぶ最短仮想線、前記誘電体セラミック基体の幅方向の１面及び長さ方向の１面によって作られる三角形領域内に入る内部電極の隅部面積を削除するように行なわれており、
前記積層セラミックコンデンサは、前記幅方向の１面側が前記基板の部品搭載面に向き合うように配置して、前記基板に設けられた導体パターンに半田付けする
実装方法。
【請求項４】
請求項３に記載された実装方法であって、
前記半田付けは、半田を前記外部端子電極の中点よりも低い高さとなるように付着させることによって行う、
実装方法。
【請求項５】
請求項３又は４に記載された実装方法であって、
前記内部電極の端縁は、前記最短仮想線に沿った部分を含む、
実装方法。
【請求項６】
請求項３乃至５の何れか一項に記載された実装方法であって、
前記半田付けは、半田付着領域が、前記誘電体セラミック基体の前記幅方向で見た前記外部端子電極の前記中点よりも低い位置になるように行なう
実装方法。
【発明の詳細な説明】
【０００１】
【発明の属する技術分野】
本発明は、小型、かつ、大容量のチップ型積層セラミックコンデンサ及びその実装方法に関する。
【０００２】
【従来の技術】
従来から、積層セラミックコンデンサは、限られた体積の中で、より大きい静電容量を得るため、内部電極の最大重なり面積が得られるように設計されていた。
【０００３】
従来、積層セラミックコンデンサは、安定性を考慮して、プリント基板等の回路パターン面に対して、内部電極が平行になるように実装されていた（例えば、特開平８−１８１０３３号公報参照）。しかし、半田付け時の熱等によってプリント基板が熱膨張し、歪む。半田付け終了後の冷却サイクルでは、プリント基板は熱収縮し、歪みを発生する。この歪みの影響で誘電体セラミック基体にクラックが入ることがある。誘電体セラミック基体にクラックが入った場合、内部電極に亀裂、断線等を引き起こす。このため、この実装方法によれば、積層セラミックコンデンサの静電容量が劣化し、絶縁抵抗が低下する恐れがあった。
【０００４】
半田付け時の熱歪みを緩和する手段として、内部電極の先端辺の角部を円弧状にした構造の積層セラミックコンデンサが提案されている（例えば、特公平８−１８７５号公報、実公昭６３−１４４５６号公報、特開平８−１８１０３３号公報及び実開平４−９２６２４号公報参照）。
【０００５】
このタイプの積層セラミックコンデンサは、半田付け時の熱衝撃による残留応力の低減及びクラックによる性能の劣化防止にある程度の効果が得られたが、上述したような問題を完全には解決できなかった。しかも、内部電極の重なり面積が小さくなるため、取得できる静電容量が大幅に小さくなる問題があった。
【０００６】
【発明が解決しようとする課題】
本発明の課題は、大きな静電容量を得ることができる積層セラミックコンデンサを提供することである。
【０００７】
本発明のもう一つの課題は、誘電体セラミック基体に発生することのあるクラックによる特性劣化を防止できる積層セラミックコンデンサを提供することである。
【０００８】
本発明の更にもう一つの課題は、容量低下を最小にして、クラックによる特性劣化を防止し得る積層セラミックコンデンサを提供することである。
【０００９】
【課題を解決するための手段】
上述した課題を解決するため、本発明に係る積層セラミックコンデンサは、誘電体セラミック基体と、複数の内部電極と、少なくとも一対の外部端子電極とを含む。前記誘電体セラミック基体は、厚み方向、幅方向及び長さ方向を持つ６面体状である。前記一対の外部端子電極は、前記誘電体セラミック基体の前記長さ方向の両端に設けられ、前記誘電体セラミック基体の長さ方向の１面、厚み方向の２面及び幅方向の２面を覆っている。
【００１０】
前記複数の内部電極は、前記誘電体セラミック基体の内部に埋設され、誘電体セラミック層を介して前記厚み方向に重なり、長さ方向の一端が、隣接する内部電極間で、前記一対の外部端子電極に交互に接続され、長さ方向の他端は、前記外部端子電極によって囲まれた領域まで延び、幅方向の両隅部が削減されている。
【００１１】
前記内部電極の前記両隅部は、前記幅方向で見た前記外部端子電極の中点と前記長さ方向で見た前記外部端子電極の先端とを結ぶ最短仮想線、前記誘電体セラミック基体の幅方向の１面及び長さ方向の１面によって作られる三角形領域内に入らないように削除されている。
【００１２】
本発明に係る積層セラミックコンデンサにおいて、一対の外部端子電極が、六面体状である誘電体セラミック基体の長さ方向の両端に設けられており、複数の内部電極が誘電体セラミック基体の内部に埋設され、誘電体セラミック層を介して厚み方向に重なり、長さ方向の一端が、隣接する内部極間で、一対の外部端子電極に交互に接続されているから、一対の外部端子電極間から、内部電極の総数、電極対向面積、誘電体セラミック層の誘電率、その厚さ等に対応した大きな静電容量が得られる。
【００１３】
外部端子電極は、誘電体セラミック基体の長さ方向の１面、厚み方向の２面及び幅方向の２面を覆っているから、誘電体セラミック基体に対する外部端子電極の付着面積が５面となり、外部端子電極の付着強度がきわめて大きくなる。
【００１４】
複数の内部電極は、長さ方向の他端が、外部端子電極によって囲まれた領域まで延びているから、誘電体セラミック基体の長さ及び幅を最大限利用して、大きな静電容量を得ることができる。
【００１５】
内部電極の長さ方向の他端は、幅方向の隅部が削減されている。内部電極の方向の隅部は、幅方向で見た外部端子電極の中点と長さ方向で見た外部端子電極の先端とを結ぶ最短仮想線、誘電体セラミック基体の幅方向の１面及び長さ方向の１面によって作られる三角形領域内に入らないように削除されている。かかる削減構造を有すると、当該積層セラミックコンデンサを、幅方向の１面側が基板の部品搭載面に向き合うように配置して、基板に設けられた導体パターンに半田付けした場合、半田付着領域が、通常は、前述した三角領域よりも小さくなる。
【００１６】
プリント基板の熱膨張、収縮に起因するクラックは、主として、半田付着領域に発生する。前述したように、この半田付着領域は、内部電極の長さ方向の他端を削減した三角領域内に含まれており、内部電極に重なり面積を生じない領域であり、容量取得には実質的に関与していない。このため、仮に、半田付着領域において、クラックが発生し、隅部を削減した内部電極と対向関係にある他の内部電極に亀裂や部分的断線が発生したとしても、容量の低下等の特性劣化を生じない。
【００１７】
内部電極の削減は、幅方向の両隅部で行なわれるから、幅方向に関しては実装方向による影響を受けることなく、クッラクによる特性劣化を回避することができる。
【００１８】
さらに、内部電極は、長さ方向の他端が、外部端子電極によって囲まれた領域まで延びていて、誘電体セラミック基体の長さ及び幅を最大限利用し得る構造を有しており、このような構造の下で、内部電極の長さ方向の他端側において、幅方向の両隅部を削減するので、削減による容量低下を最小にし、クラックによる特性劣化を防止することができる。
【００１９】
本発明の他の目的、構成及び利点については、実施例である添付図面を参照し、更に詳しく説明する。
【００２０】
【発明の実施の形態】
図１は本発明に係る積層セラミックコンデンサを示す斜視図、図２は図１の２−２線に沿った断面図、図３は図２の３−３線に沿った断面図、図４は図２の４−４線に沿った断面図である。本発明に係る積層セラミックコンデンサは、誘電体セラミック基体１と、複数の内部電極２１〜２７と、一対の外部端子電極３１、３２とを含む。誘電体セラミック基体１は、厚み方向Ｔ、幅方向Ｗ及び長さ方向Ｌを持つ６面体状である。一対の外部端子電極３１、３２は、誘電体セラミック基体１の長さ方向Ｌの両端に設けられ、誘電体セラミック基体１の長さ方向Ｌの１面、厚み方向Ｔの２面及び幅方向Ｗの２面を覆っている。
【００２１】
複数の内部電極２１〜２７は、誘電体セラミック基体１の内部に埋設され、誘電体セラミック層１０を介して厚み方向Ｔに重なり、長さ方向Ｌの一端が、隣接する内部電極間で、一対の外部端子電極３１、３２に交互に接続されている。例えば、内部電極２１の一端は外部端子電極３１に接続され、内部電極２１と隣接する内部電極２２の一端は、外部端子電極３２に接続されている。内部電極２１〜２７の長さ方向Ｌの他端は、外部端子電極３１、３２によって囲まれた領域まで延び、幅方向Ｗの両隅部が削減されている。内部電極２１〜２７の個数は任意である。
【００２２】
両隅部は、外部端子電極３１に一端を接続した内部電極２１〜２７においては、図３に示すように、三角形領域Ｓ１１、Ｓ１２内に入らないように削除されている。三角形領域Ｓ１１は、幅方向Ｗで見た外部端子電極３２の中点Ｏ１と、長さ方向Ｌで見た外部端子電極３２の先端３２１とを結ぶ最短仮想線Ｘ１１、誘電体セラミック基体１の幅方向Ｗの１面及び長さ方向Ｌの１面によって作られる。外部端子電極３２の先端部３２１までの長さをＬ１１とすると、三角形領域Ｓ１１は、長さＬ１１、高さ（幅）Ｗ／２及び斜辺Ｘ１１によって構成される直角三角形となる。高さ（幅）Ｗ／２は外部端子電極３１の長さＬ１１よりも大きくなっている。
【００２３】
三角形領域Ｓ１２は、三角形領域Ｓ１１とは逆方向において、幅方向Ｗで見た外部端子電極３２の中点Ｏ１と、長さ方向Ｌで見た外部端子電極３２の先端３２１とを結ぶ最短仮想線Ｘ１２、誘電体セラミック基体１の幅方向Ｗの１面及び長さ方向Ｌの１面によって作られる。外部端子電極３２の先端部３２１までの長さをＬ１２（＝Ｌ１１）とすると、三角形領域Ｓ１２は、長さＬ１２、高さ（幅）Ｗ／２及び斜辺Ｘ１２によって構成される直角三角形となる。高さ（幅）Ｗ／２は外部端子電極３１の長さＬ１２よりも大きくなっている。
【００２４】
外部端子電極３２に一端を接続した内部電極２２、２４、２６の両隅部は、図４に示すように、三角形領域Ｓ２１、Ｓ２２内に入らないように削除されている。三角形領域Ｓ２１は、幅方向Ｗで見た外部端子電極３１の中点Ｏ２と、長さ方向Ｌで見た外部端子電極３１の先端３１１とを結ぶ最短仮想線Ｘ２１、誘電体セラミック基体１の幅方向Ｗの１面及び長さ方向Ｌの１面によって作られる。外部端子電極３１の先端部３１１までの長さをＬ２１とすると、三角形領域Ｓ２１は、長さＬ２１、高さ（幅）Ｗ／２及び斜辺Ｘ２１によって構成される直角三角形となる。高さ（幅）Ｗ／２は外部端子電極３１の長さＬ２１よりも大きくなっている。
【００２５】
三角形領域Ｓ２２は、三角形領域Ｓ２１とは逆方向において、幅方向Ｗで見た外部端子電極３１の中点Ｏ２と、長さ方向Ｌで見た外部端子電極３１の先端３１１とを結ぶ最短仮想線Ｘ２２、誘電体セラミック基体１の幅方向Ｗの１面及び長さ方向Ｌの１面によって作られる。外部端子電極３１の先端部３１１までの長さをＬ２２（＝Ｌ２１）とすると、三角形領域Ｓ２２は、長さＬ２２、高さ（幅）Ｗ／２及び斜辺Ｘ２２によって構成される直角三角形となる。高さ（幅）Ｗ／２は外部端子電極３１の長さＬ２２よりも大きくなっている。
【００２６】
上述したように、本発明に係る積層セラミックコンデンサにおいて、一対の外部端子電極３１、３２が、六面体状である誘電体セラミック基体１の長さ方向Ｌの両端に設けられており、複数の内部電極２１〜２７が誘電体セラミック基体１の内部に埋設され、誘電体セラミック層１０を介して厚み方向Ｔに重なり、長さ方向Ｌの一端が、隣接する内部極間で、一対の外部端子電極３１、３２に交互に接続されているから、一対の外部端子電極３１ー３２間から、内部電極２１〜２７の総数、電極対向面積、誘電体セラミック層１０の誘電率、その厚さ等に対応した大きな静電容量が得られる。
【００２７】
外部端子電極３１、３２は、誘電体セラミック基体１の長さ方向Ｌの１面、厚み方向Ｔの２面及び幅方向Ｗの２面を覆っているから、誘電体セラミック基体１に対する外部端子電極３１、３２の付着面積が５面となり、外部端子電極３１、３２の付着強度がきわめて大きくなる。
【００２８】
複数の内部電極２１〜２７は、長さ方向Ｌの他端が、外部端子電極３１、３２によって囲まれた領域まで延びているから、誘電体セラミック基体１の長さＬ及び幅Ｗを最大限利用して、大きな静電容量を得ることができる。
【００２９】
図５は本発明に係る積層セラミックコンデンサの実装方法を示す断面図である。図示するように、本発明に係る積層セラミックコンデンサ６の実装に当たっては、幅方向Ｗの１面側が基板４の部品搭載面４０に向き合うように配置し、基板４に設けられた導体パターン４１、４２に半田５１、５２によって固定する。まず、半田５１の付着と内部電極２１、２３、２５、２７との関係について説明する。
【００３０】
半田５１は、誘電体セラミック基体１の幅方向Ｗに取られた高さ方向において、通常、誘電体セラミック基体１の幅方向Ｗの１面に付着された外部端子電極３２の長さＬ１１とほぼ同じ高さＷ１１となるように付着する。外部端子電極３２の幅方向Ｗの中点Ｏ１は、長さＬ１１よりも大きいから、半田５１は幅方向Ｗの中点Ｏ１よりも低い高さＷ１１に付着する。
【００３１】
既に述べたように、本発明に係る積層セラミックコンデンサ６において、外部端子電極３１に一端を接続した内部電極２１、２３、２５、２７の両隅部が、三角形領域Ｓ１１内に入らないように削除されている。
【００３２】
三角形領域Ｓ１１は、幅方向Ｗで見た外部端子電極３２の中点Ｏ１と、長さ方向Ｌで見た外部端子電極３２の先端３２１とを結ぶ最短仮想線Ｘ１１、誘電体セラミック基体１の幅方向Ｗの１面及び長さ方向Ｌの１面によって作られた領域であり、幅方向Ｗの中点Ｏ１よりも低い高さＷ１１に形成される半田付着領域Ｓ０１よりも、必ず大きくなる。従って、半田付着領域Ｓ０１の下に、内部電極２１、２３、２５、２７が存在しない。
【００３３】
プリント基板４の熱膨張、収縮に起因するクラックは、主として、半田付着領域Ｓ０１に発生する。前述したように、この半田付着領域Ｓ０１は、内部電極２１、２３、２５、２７の長さ方向の他端を削減した三角領域Ｓ１１内に含まれており、内部電極２１ー内部電極２２ー内部電極２３、内部電極２４ー内部電極２５ー内部電極２６ー内部電極２７に重なり面積を生じない領域であり、容量取得には実質的に関与していない。このため、仮に、半田付着領域Ｓ０１において、誘電体セラミック基体１にクラックが発生し、例えば、隅部を削減した内部電極２１と対向関係にある内部電極２２に亀裂や部分的断線が発生したとしても、容量の低下等の特性劣化を生じない。なお、亀裂や部分的断線は、内部電極２２を分断するような状態では発生しない。
【００３４】
内部電極２１、２３、２５、２７の隅部の削減は、幅方向Ｗの両側でなされていて、三角形領域Ｓ１１とは対称的に、三角形領域Ｓ１２が存在するから、幅方向Ｗの相対する２面の何れを、基板４の部品搭載面４０に向き合わせても、同様の作用効果が得られる。
【００３５】
次に、図６を参照して、半田５２の付着領域と内部電極２２、２４、２６との関係について説明する。半田５２は、誘電体セラミック基体１の幅方向Ｗに取られた高さ方向において、誘電体セラミック基体１の幅方向Ｗの１面に付着された外部端子電極３１の長さＬ２１とほぼ同じ高さＷ２１となるように付着する。外部端子電極３１の幅方向Ｗの中点は、長さＬ１１よりも大きいから、半田５２は幅方向Ｗの中点Ｏ２よりも低い高さＷ２１に付着する。
【００３６】
外部端子電極３２に一端を接続した内部電極２２、２４、２６の両隅部は、三角形領域Ｓ２１内に入らないように削除されている。
【００３７】
三角形領域Ｓ２１は、幅方向Ｗで見た外部端子電極３１の中点Ｏ２と、長さ方向Ｌで見た外部端子電極３１の先端３１１とを結ぶ最短仮想線Ｘ２１、誘電体セラミック基体１の幅方向Ｗの１面及び長さ方向Ｌの１面によって作られた領域であり、幅方向Ｗの中点Ｏ２よりも低い高さＷ２１に形成される半田付着領域Ｓ０２よりも、必ず大きくなる。従って、半田付着領域Ｓ０２の下に、内部電極２２、２４、２６が存在しない。
【００３８】
プリント基板４の熱膨張、収縮に起因するクラックは、主として、半田付着領域Ｓ０２に発生する。前述したように、この半田付着領域Ｓ０２は、内部電極２２、２４、２６の長さ方向の他端を削減した三角領域Ｓ２１内に含まれており、内部電極２１ー内部電極２２ー内部電極２３、内部電極２４ー内部電極２５ー内部電極２６ー内部電極２７に重なり面積を生じない領域であり、容量取得には実質的に関与していない。このため、仮に、半田付着領域Ｓ０２において、誘電体セラミック基体１にクラックが発生し、例えば、隅部を削減した内部電極２２と対向関係にある内部電極２１に亀裂や部分的断線が発生したとしても、容量の低下等の特性劣化を生じない。
【００３９】
内部電極２２、２４、２６の隅部の削減は、幅方向Ｗの両側でなされていて、三角形領域Ｓ２１とは対称的に、三角形領域Ｓ２２が存在するから、幅方向Ｗの相対する２面の何れを、基板４の部品搭載面４０に向き合わせても、同様の作用効果が得られる。
【００４０】
さらに、内部電極２１〜２７は、長さ方向Ｌの他端が、外部端子電極３１、３２によって囲まれた領域まで延びていて、誘電体セラミック基体１の長さＬ及び幅Ｗを最大限利用し得る構造を有しており、このような構造の下で、内部電極２１〜２７の長さ方向Ｌの他端側において、幅方向Ｗの両隅部を削減するので、削減による容量低下を最小にして、クラックによる特性劣化を防止することができる。
【００４１】
次に、積層セラミックコンデンサの製造方法と、得られた積層セラミックコンデンサの実装方法の違いによる特性データについて説明する。まず、平均粒子径が２μm以下のBaTiO3の主成分原料に顆粒化した副成分を３ｗｔ％添加する。これに有機系バインダー、可塑剤を添加してボールミルにて充分に混合した後、スラリー化し、ドクターブレード法により誘電体セラミックのグリーンシートを得た。
【００４２】
次に、得られたグリーンシートの一面に複数個の、内部電極の先端辺の角部を、外部端子電極のタレ部より大きい部分から内部電極の幅が狭くなった内部電極パターンを印刷した。
【００４３】
次に、乾燥後グリーンシートを積層し、シート厚み方向に圧着し、切断して積層セラミックコンデンサの積層体を作った。
【００４４】
次に、この積層体を、空気中において３２０℃、５時間保持して脱バインダー処理を行った後、還元ガス気流中において、１２５０℃、２時間焼成することにより焼結体を作った。
【００４５】
最後に、この焼結体の両端部に、導電性ペーストを塗布して焼き付け、外部端子電極を形成して、静電容量約１μＦの積層セラミックコンデンサを得た。
【００４６】
次に、積層セラミックコンデンサの静電容量変化率及び絶縁抵抗について、電極状態及び半田付け形態の違いによる４通りの試料を比較した結果を表１に示す。ここで、比較例１は内部電極が回路パターン面に対して平行になるように半田付けされた試料であり、比較例２は内部電極が回路パターン面に対して垂直になるように半田付けされた試料であり、比較例３は内部電極の一端の角部が削られ、内部電極が回路パターン面に対して平行になるように半田付けされた試料であり、実施例１は内部電極の一端の角部が削られ、内部電極が回路パターン面に対して垂直になるように半田付けされた試料である。
0003882954.tif 000002
【００４７】
表１に示すように、静電容量については、比較例１及び比較例３が半田付け後６０％の劣化が見られ、比較例２が５％の劣化が見られるのに対して、実施例１は全く劣化が見られない。絶縁抵抗については、比較例１、比較例２及び比較例３が１０Ω以下であるのに対して、実施例１は１０10Ω以上であり、明らかに他の試料よりも高い抵抗値を示している。したがって、本発明によれば、静電容量の劣化もなく、絶縁抵抗の低下もみられない。
【００４８】
【発明の効果】
以上述べたように、本発明によれば、次のような効果が得られる。
（ａ）大きな静電容量を得ることができる積層セラミックコンデンサを提供できる。
（ｂ）誘電体セラミック基体に発生することのあるクラックによる特性劣化を防止し得る積層セラミックコンデンサを提供できる。
（ｃ）容量低下を最小にして、クラックによる特性劣化を防止し得る積層セラミックコンデンサを提供できる。
【図面の簡単な説明】
【図１】本発明に係る積層セラミックコンデンサを示す斜視図である。
【図２】図１の２−２線に沿った断面図である。
【図３】図２の３−３線に沿った断面図である。
【図４】図２の４−４線に沿った断面図である。
【図５】本発明に係る積層セラミックコンデンサの実装方法を示す断面図である。
【図６】本発明に係る積層セラミックコンデンサの実装方法を示す断面図である。
【符号の説明】
１                誘電体セラミック基体
１０              誘電体セラミック層
２１〜２７        内部電極
３１、３２        外部端子電極
４                基板
４０              部品搭載面
５１、５２        半田
【図１】
0003882954.tif 000003
【図２】
0003882954.tif 000004
【図３】
0003882954.tif 000005
【図４】
0003882954.tif 000006
【図５】
0003882954.tif 000007
【図６】
0003882954.tif 000008